(57)【要約】【課題】  作業性、施工性とともにコンクリートの付着性及び補強性を高めて総合的にスラブ施工性、信頼性を向上している。  【解決手段】  螺旋状筒部1又は断面矩形状枠11及び端部受枠2又は12からなる補強用枠3又は13を備え、合成樹脂シートで製造された長尺の筒状シート4又は矩形状シート14と端面シート5,15及び空気取入口6,16とからなる中空部Ｓを形成したシート袋8又は18とを具備した補強枠付き圧気膨張式ボイド10,20及び施工法に特徴を有する。  【選択図】図１
2005188186.tif 000002
【特許請求の範囲】
【請求項１】
ピッチ長さを短縮させた螺旋状筒及び螺旋状筒の両端部に付設された端部受枠からなる長さ増長可能な補強用枠と、合成樹脂シートで製造され長さが短縮可能に形成された長尺の筒状シートと筒状シートの両端部に付設された端面シート及び空気取入口とからなり中空部を形成したシート袋とを備え、シート袋の筒状シートを複数箇所で折り長さを短縮して補強用枠内に挿入し組み組み込まれる構成にしたことを特徴とする補強枠付き圧気膨張式ボイド。
【請求項２】
ピッチ長さを短縮させた螺旋状筒及び螺旋状筒の両端部に付設された端部受枠とからなる長さ増長可能な補強用枠と、合成樹脂シートで製造されて長さが短縮可能に形成された長尺の筒状シート及び筒状シートの両端部に付設された空気取入口付き端面シートからなり中空部を形成したシート袋とを備え、シート袋の筒状シートを複数箇所で折り長さを短縮して補強用枠内に挿入し組み込まれる補強枠付き圧気膨張式ボイドに構成して、補強用枠内にシート袋を挿入して、シート袋の中空部に空気を圧入してその気圧によって袋長さを増長することにより、筒状シートとともに補強用枠の螺旋状筒の長さも増張されて、シート袋の筒状シート及び両端面シートが補強用枠の内側に圧接されて受け止めて保持され、シート袋の周囲にコンクリートを打設して空洞部を形成するとともに空洞部のコンクリート周壁に補強用枠を埋設して補強することを特徴とするボイド施工方法。
【請求項３】
断面矩形状に形成された長尺の矩形状枠及び矩形状枠の両端部に付設された端面受枠とからなる補強用枠体と、合成樹脂シートで製造されて断面矩形状に形成された長尺の矩形状シートと矩形状シートの両端部に付設された端面シート及び空気取入口とからなり中空部を形成したシート袋とを備え、矩形状シートの一部及び両端面シートを内側へ折り込みシート袋を狭幅に形成して補強用枠体内に挿入して組み組み込まれる構成にしたことを特徴とする補強枠付き圧気膨張式ボイド。
【請求項４】
断面矩形状に形成された長尺の矩形状枠及び矩形状枠の両端部に付設された端面受枠とからなる補強用枠体と、合成樹脂シートで製造されて断面矩形状に形成された長尺の矩形状シートと矩形状シートの両端部に付設された端面シート及び空気取入口とからなり中空部を形成したシート袋とを備え、矩形状シートの一部及び両端面シートを内側へ折り込みシート袋を狭幅に形成して補強用枠体内に挿入して組み込まれる補強枠付き圧気膨張式ボイドに構成して、補強用枠体内にシート袋を挿入して、シート袋の中空部に空気を圧入して増幅せしめることにより、シート袋の矩形状シート及び両端面シートを補強用枠体の内側に圧接させて受け止め保持せしめてセットし、シート袋の周囲にコンクリートを打設して空洞部を形成するとともに空洞部のコンクリート周壁に補強用枠体を埋設して補強することを特徴とするボイド施工方法。
【発明の詳細な説明】
【技術分野】
【０００１】
本発明は、各種の建造物に構築される床スラブ等の内部に埋設して、スラブ等の内部にシート袋をセットして中空部に空気を注入し膨張させてコンクリート内に空洞部を形成することにより、スラブの厚さ即ち成りを大きく形成する補強枠付き圧気膨張式ボイド及びボイド施工法に関するものである。
【背景技術】
【０００２】
各種の建造物に構築される床スラブ施工部内に配置して、スラブ内に空洞部を形成してスラブの厚さ即ち成りを大きく形成して施工される従来のボイドは、帯状金属板をスパイラル状に巻回して形成した帯状金属板製筒状ボイドや、発泡合成樹脂により筒状に形成した発泡合成樹脂製筒状ボイドが開発されている。
【０００３】
前記の帯状金属板製筒状ボイドは、比較的に重量物で嵩高となり運搬、設置作業に手間取り、その帯状金属板はスラブの重量を増加している割合には比較的にコンクリートとの接着性に劣りコンクリート補強力の増加には格別に寄与されないなどの欠陥があった。
【０００４】
また、前記の発泡合成樹脂製筒状ボイドは、軽量化されて運搬やセット作業に便利になっているが、スラブ等の内部に空洞部を形成する場合はその補強には格別に寄与されず、打設されるコンクリートの耐力増加には格別に寄与されないで比較的に厚く形成する必要が生じ、変形し易く空洞部の形成精度に劣りその面積が狭められて、中空部内の活用価値（配線や配管等）が損なわれるなどの問題があった。
【０００５】
【特許文献１】日本建築学会昭和６１年１０月２５日第１版発行の「プレキャスト鉄筋コンクリート構造の設計と施工」
【発明の開示】
【発明が解決しようとする課題】
【０００６】
本発明は、前記のような背景技術における前記の課題を解決するために開発されたものであり、目的とする処は、軽量化、小型化して運搬等さらにはセットの精度を高めて作業性、施工性を向上するとともにコンクリートとの付着性及び補強性を高めて総合的にスラブ施工性、信頼性を向上した補強枠付き圧気膨張式ボイド及びボイド施工法を提供するにある。    
【課題を解決するための手段】
【０００７】
本発明の請求項1は、ピッチ長さを短縮させた螺旋状筒及び螺旋状筒の両端部に付設された端部受枠とからなる長さ増長可能な補強用枠と、合成樹脂シートで製造されて長さが短縮可能に形成された長尺の筒状シート及び筒状シートの両端部に付設された端面シート及び空気取入口とからなり中空部を形成したシート袋とを備え、シート袋の筒状シートを複数箇所で折り込み長さを短縮して補強用枠内に挿入して組み組み込まれる構成にした補強枠付き圧気膨張式ボイドに特徴を有する。
【０００８】
本発明の請求項2は、ピッチ長さを短縮させた螺旋状筒及び螺旋状筒の両端部に付設された端部受枠とからなる長さ増長可能な補強用枠と、合成樹脂シートで製造されて長さが短縮可能に形成された長尺の筒状シートと筒状シートの両端部に付設された端面シート及び空気取入口とからなり中空部を形成したシート袋とを備え、シート袋の筒状シートを複数箇所で折り長さを短縮して補強用枠内に挿入して組み込まれる補強枠付き圧気膨張式ボイドに構成され、補強用枠内にシート袋を挿入して、シート袋の中空部内に空気を圧入して袋長さを増加することにより、筒状シートとともに補強用枠の螺旋状筒の長さが伸長さされて、シート袋の筒状シート及び両端面シートを補強用枠の内側に圧接させて受け止め保持せしめ、シート袋の周囲にコンクリートを打設して空洞部を形成するとともに空洞部のコンクリート周壁に補強用枠を埋設させて補強するボイド施工方法に特徴を有する。
【０００９】
本発明の請求項3は、断面矩形状に形成された長尺の矩形状枠及び矩形状枠の両端部に付設された端面受枠とからなる補強用枠体と、合成樹脂シートで製造されて断面矩形状に形成された長尺の矩形状シートと矩形状シートの両端部に付設された端面シート及び空気取入口とからなり中空部を形成したシート袋とを備え、矩形状シートの一部及び両端面シートを内側へ折り込みシート袋を狭幅に形成して補強用枠体内に挿入して組み込まれる構成にした組み合わせた補強枠付き圧気膨張式ボイドに特徴を有する。
【００１０】
本発明の請求項4は、断面矩形状に形成された長尺の矩形状枠及び矩形状枠の両端部に付設された端面受枠とからなる補強用枠体と、合成樹脂シートで製造されて断面矩形状部に形成された長尺の矩形状シート及び矩形状シートの両端部に付設された端面シート及び空気取入口とからなり中空部を形成したシート袋とを備え、矩形状シートの一部及び両端面シートを内側へ折り込みシート袋を狭幅に縮小し強用枠体内に挿入して組み込まれる補強枠付き圧気膨張式ボイドに構成して、補強用枠体内にシート袋を挿入して、シート袋の中空部に空気を圧入して増幅することより、シート袋の矩形状シート及び両端面シートを補強用枠部体の内側へ圧接させて受け止め保持し、シート袋の周囲にコンクリートを打設して空洞部を形成するとともに空洞部の周囲のコンクリート周壁に補強用枠体を埋設して補強するボイド施工方法に特徴を有する。
【発明の効果】
【００１１】
本発明の補強枠付き圧気膨張式ボイド（請求項1）及びボイド施工方法（請求項1）は、前記のような構成からなり、その補強枠付き圧気膨張式ボイドの補強用枠体及び合成樹脂シート製のシート袋が大幅に軽量化されて小型に組み合せられて運搬や保管に便利となり施工箇所にも容易に精度良くセットされるなど施工性が著しく高められている。また、シート袋の中空部に空気を注入して膨張させると、シート袋とともに補強用枠の矩形状枠が複数倍に長くなって全面的に所望の形状に形成されるとともに補強枠体の内側全域でシート袋が受け止められて支保され、気圧を受けて膨張されたシート袋の適宜の膨張性、変形性によって周囲に打設されたコンクリートが格別な漏れもなく効果的に受け止められて養生され、空洞部が精度良く形成されるとともに、空洞部のコンクリート周壁に補強枠が適度に浅く埋設されて効果的に補強されるなど優れた施工性、信頼性が得られる。
【００１２】
また、補強枠付き圧気膨張式ボイド（請求項2）及びボイド施工方法（請求項2）は、前記のような構成からなり、その補強枠付き圧気膨張式ボイドの補強用枠体、特に合成樹脂シート製のシート袋が大幅に軽量化され組み合わせると小型に形成されて運搬や保管に便利となり、施工箇所にシート袋が容易に精度良くセットされるなど施工性が著しく高められている。また、シート袋の中空部に空気を注入して膨張させると、補強用枠体内の全域にわたりシート袋が適度の伸縮性により補強用枠体の内側全域に圧接されて受け止められ、所望の形状に形成されて支保され、その気圧により膨張されたシート袋の適宜の膨張性、変形性によって、周囲に打設されたコンクリートが格別な漏れもなく効果的に受け止められて養生され、中空部が所望の空洞部に精度良く形成されるとともに空洞部の周壁に補強枠体が適度に浅く埋設されて効果的に補強されるなど優れた施工性、信頼性が得られる。
【発明を実施するための最良の形態】
【００１３】
本発明の各実施例は、図1、図2に示すように螺旋状筒1及び螺旋状筒の端部に付設された端部受枠2,2とからなる長さ増長可能な補強用枠3と、合成樹脂シートで製造された長さ短縮可能な長尺の筒状シート4と筒状シートの両端部に付設された端面シート5、5及び空気取入口6とからなり中空部Ｓを形成したシート袋8を備えた補強枠付き圧気膨張式ボイド10（実施例1）、及びこの補強枠付き圧気膨張式ボイド10（実施例1）において、シート袋8の中空部Ｓに空気を注入してセットし、その周囲にコンクリートを打設して中空部Ｓを空胴部に形成するとともにその周壁に補強用枠3を埋設して補強するボイド施工法（実施例1）、さらには、螺旋状筒11と螺旋状筒の端部に付設された端部受枠12,12及び空気取入口16とからなる長さ増長可能な補強用枠体13と、合成樹脂シートで製造された長さ短縮可能な長尺の矩形状シート14及び矩形状シートの両端部に付設された端面シート15、15及び空気取入口16とからなり中空部Ｓを形成したシート袋18を備えた補強枠付き圧気膨張式ボイド20（実施例2）、その補強枠付き圧気膨張式ボイド20（実施例1）に基づいて、シート袋18の中空部Ｓに空気を注入してセットし、その周囲にコンクリートを打設して中空部Ｓを空胴部に形成するとともにその周壁を補強するボイド施工法（実施例2）に構成されている。
【実施例】
【００１４】
本発明の補強枠付き圧気膨張式ボイド10の実施例1は、図1及び図2に示すようにピッチ長さが短縮Ｌ1に形成された螺旋状筒1及び螺旋状筒の両端部に付設された両端受枠2、2とからなる長さ増長可能な補強用枠3と、合成樹脂シートで製造されて長さが短縮可能に形成された長尺の筒状シート4及び筒状シートの両端部に付設された端面シート５，５及び空気取入口6とからなり中空部Ｓが形成されたシート袋8とを備え、シート袋8の筒状シート4を複数箇所で折り込みＦ1されて長さをＬ1に縮小して補強用枠3内に挿入して組み組み込まれる補強枠付き圧気膨張式ボイドに構成されている。
【００１５】
前記の補強枠付き圧気膨張式ボイド10（実施例1）についてさらに詳述すると、前記の螺旋状筒1は、好ましくは適宜な線材又は合成樹脂材によって製造され、通常はピッチ長さが図示よりもさらに短くＬ1に形成されて（図1Ａ参照）、図1Ｂに示すように複数倍のピッチ長さＬに伸長可能になっている。また、必要に応じシート袋8の外側に補強用枠3を直接に付設したり又は補強用枠3を合成樹脂シートによって製造されたシート袋8に付設することも可能である。両端受枠2は、好ましくは螺旋状筒1の両端部に連設された線材で形成されたり、又は補強奸付き円形状部にも構成される（図2参照。必要に応じ適宜な板材によっても構成される（図示省略）。シート袋8は、好ましくは適宜の伸縮性や膨張性、折曲変形性及び水密・気密性を有する適度に薄い塩化ビニールシート樹脂で製造されるのが好ましく、同様な特性を有する各種の合成樹脂やゴムのシートでも製造される。一方の端面シート2には適宜な構造の空気取入口6が付設されて中空部Ｓ内に空気を注入して膨張せしめるように構成ざれている。さらにまた、シート袋8の筒状シート4は、複数の箇所で折り込Ｆ1まれその長さが大幅に短く形成されて補強用枠2内への折り込み挿入が随時に可能になっている。また、補強用枠3及びシート袋8は、好ましくは側視で円形や楕円形にも形成され、必要に応じ矩形等にも形成される（図示省略）。
【００１６】
さらに、前記の補強枠付き圧気膨張式ボイド10（実施例1）に基づくボイド施工法（実施例1）について詳述すると、その補強枠付き圧気膨張式ボイド10は、補強用枠1及び合成樹脂シート製のシート袋8が大幅に軽量化されているとともにシート袋8の筒状シート4が複数の箇所で折り込Ｆ1まれられ長さが短縮されてピッチ長さが短くＬ1に形成されている短い補強用枠1内に組み込まれ著しく小型化され（図1Ａ参照）、運搬、保管等に便利となり、施工位置にも容易に精度良くセットされる。例えば図5Ａに示すように各種の建築物の構築に際し柱間に架設されているデッキプレート30上にスラブ下端主筋31やスペーサー32や複数のラチス筋33を配置した床スラブの構築位置にこの補強枠付き圧気膨張式ボイド10をセットする場合は、前記のように一体的に組み込まれた補強枠付き圧気膨張式ボイド10を図5Ａに示すように配置してその上側にスラブ上端梁主筋34を配置した後、空気取入口6からシート袋8の中空部Ｓに空気を注入すると（図2Ｂ参照）、その気圧によって膨張されて複数倍に増長Ｌされ、そのシート袋8の端面シート５，５が補強用枠1の端受枠2、2に圧接されて補強用枠3の螺旋状筒1が同様に長くＬなり、中空部Ｓ内の気圧により図2Ｂ及び図5に示すように補強用枠3内の全域にわたりシート袋8が適度の伸縮性により全面的に補強枠3の内側全域に圧接されて受け止められる。即ち所望の形状に膨張されて支保される。密封シート袋8の筒状シート4及び両端シート5,5が補強用枠3の内側に圧接されて受け止められ支保されて所要の施工位置に精度良くセットされる。なお、シート袋8の筒状シート4に補強用枠3の螺旋状筒1が付設された構成にすると、シート袋8の筒状シート4とともに補強用枠3の螺旋状筒1も同時に同様に増長Ｌされる。図示のようにセットされて筒状シート4の中空部内の気圧が高められるとその周囲にコンクリートが打設される。シート袋8は中空部Ｓにおける気圧を受けて合成樹脂シートによる適度の膨張性、防水性、変形性によって格別な漏水もなく効果的に受け止められて養生される。そのシート袋8によって所望形状の空洞部が形成されるとともに、その空洞部の周囲のコンクリート周壁に補強用枠3が適度に浅く埋設されて効果的にコンクリートを補強して施工されるなど優れた施工性、信頼性が得られる。
【００１７】
本発明の補強枠付き圧気膨張式ボイドの実施例2は、図3及び図4に示すように断面矩形状に形成された長尺の矩形状枠11及び矩形状枠の両端部に付設された端面受枠12とからなる補強用枠体13と、合成樹脂シートで製造されて断面矩形状に形成された長尺の矩形状シート14と矩形状シートの両端部に付設された端面シート15,15及び空気取入口16とからなり内部に中空部Ｓを形成されたシート袋18とを備え、矩形状シート14の一部及び両端面シート15,15を内側へ折り込み（図2に示すように点線で図示）シート袋18を狭い幅Ｗ1に形成して矩形状枠体13内に挿入して組み組まれる補強枠付き圧気膨張式ボイド20に構成されている。
【００１８】
前記の補強枠付き圧気膨張式ボイド20にについてさらに詳述すると、前記の補強用枠体13は、異型鉄筋で構成され、必要に応じ合成樹脂によっても構成される。シート袋18及び空気取入口16は、前記と同様な素材、構造によって製造される。
【００１９】
本発明の補強枠付き圧気膨張式ボイド20（実試例2）に基づくボイド施工法（実施例2）について詳述すると、補強枠付き圧気膨張式ボイド20は、図3、図4及び図5に示すように補強用枠体13及び特に剛性樹脂シート製のシート袋18が大幅に軽量化されているとともに、シート袋18の矩形状シート14の一部及び端面シート1５、１５を点線で示すように内側へ折り込み狭幅Ｗ1に形成して補強用枠体13内に容易に挿入して組み組み込み小型化されて運搬、保管等に便利となり施工位置に容易に精度良くセットされる。例えば図5Ｂに示すように各種の建築物の構築に際し柱間に架設されているデッキプレート30上にスラブ下端主筋31やスペーサー32、複数本のラチス筋33を配置した床スラブの構築位置に、前記のように一体的に組み込まれた圧気膨張式ボイド20を図5Ｂに示すように配置して上端主筋34を配置した後、空気取入口16ｔｏ前記のようにシート袋18の中空部Ｓ内に空気を注入して膨張ざせると、シート袋18が大幅に増幅されて、そのシート袋18が補強用枠体13の内側に圧接されて支保され、図2及び図5に示すように補強用枠体13内の全域にわたりシート袋18が適度の伸縮性により全面的に補強枠体13の内側の全域で受け止められて所望の形状に形成され支保されて施工位置に精度良くセットされる。上側に上端主筋34を配置した後、周囲にコンクリートＣを打設すると、そのシート袋18は中空部Ｓにおける気圧受けて合成樹脂シートによる適度の膨張性、変形性によって格別な漏水もなく効果的にコンクリートが受け止められて養生される。シート袋18により所定形状の空洞部が精度良く形成される。さらに、その空洞部の周囲のコンクリート周壁に補強用枠体13が適度に浅く埋設されて効果的に該部のコンクリートが補強されて施工されるなど優れた施工性、信頼性が得られる。
【産業上の利用可能性】
【００２０】
本発明は、各種の建造物のスラブ施工等において、内部に空洞部を形成する際に適用され、スラブ等の厚さ増加や強化策等として利用される。
【図面の簡単な説明】
【００２１】
【図１】本発明の圧気膨張式ボイド（実施例1）の施工前の組み合わせ状態を示す則視図（Ａ）及び膨長時を示す則視図（Ｂ）
【図２】図１のＹ1―Ｙ1断面を示す断面図（Ａ）及びＹ2―Ｙ2断面を示す断面図（Ｂ）
【図３】本発明の圧気膨張式ボイド（実施例2）の斜視図
【図４】図３のＹ3―Ｙ3視を示す端面図（Ａ）及びその広幅施工時の端面図（Ｂ）
【図５】施工態様を示す横断面図（Ａ）（Ｂ）である
【符号の説明】
【００２２】
1      螺旋状筒部
2                    
端受部
3                    
補強用枠
4      筒状シート      
5      端面シート
6                    
空気取入口
8      シート袋
11             
矩形状枠
12             
端面受枠
13             
補強用枠体
14             
区形状シート
15    端面シート
16    空気取入口
18             
シート袋
Ｆ1    折り込み
Ｗ1    狭幅
Ｓ    中空部（高圧）
【図１】
2005188186.tif 000003
【図２】
2005188186.tif 000004
【図３】
2005188186.tif 000005
【図４】
2005188186.tif 000006
【図５】
2005188186.tif 000007